Podtech/llm-jp-corpus-v4-ja_patent huggingface dataset:
(57)【要約】【課題】  従来のスマートフォンなどのフルタッチパネル製品は、指だけの感触では操作ミスし易いものでスマートフォン等のタッチパネル製品画面に貼るポッチフィルムを提供する。【解決手段】  フィルム本体１に突起物２を設けたことを特徴とするポッチフィルム。【選択図】図４
2013093005.tif 000002
【特許請求の範囲】
【請求項１】
スマートフォン用の保護フィルムに使われるような材質のフィルムシートのフィルム本体に、点字のような突起物を設けたことを特徴とするフィルムシート。
【請求項２】
前記は、円型やハート型や星型やキャラクターを模したものなど、さまざまな形に展開できることを特徴とする請求項１のフィルムシート。
【発明の詳細な説明】
【技術分野】
【０００１】  この発明は、スマートフォン等のタッチパネル製品画面に貼るポッチフィルムの形状に関するものである。
【背景技術】
【０００２】  従来のスマートフォンなどのフルタッチパネル製品は、指だけの感触では操作ミスし易いものである。
【発明の概要】
【発明が解決しようとする課題】
【０００３】  そこでこの発明は、自分がよく使う場所に付ける事で目視せずとも指先の感触で指の位置を確認する事ができる、点字のような突起のある透明のフィルムを提供すること、を課題とする。
【課題を解決するための手段】
【０００４】  以上の課題を解決するために、請求項１は、フィルム本体に点字のような突起物を設けたことを特徴とするフィルムである。
また、請求項２は、大きさを指先大にし、任意の場所に複数付けられる事を特徴とするフィルムである。
【発明の効果】
【０００５】  請求項１、または請求項２によれば、フィルムに突起物を設けた事で、操作ミスが少なくなる。
【図面の簡単な説明】
【０００６】
【図１】  この発明の一実施形態を示した斜視図である。
【図２】  この発明の一実施形態を示した正面図である。
【図３】  この発明の一実施形態を示した側面図である。
【図４】  この発明の一使用例の説明図である。
【発明を実施するための形態】
【０００７】  この発明の一実施形態を、図１に示す。
本体はスマートフォン用の保護フィルムに使われるような材質のフィルムシートであり、この本体１の中心部には点字のような突起物２が設けられている。
【０００８】実施形態の効果は、この実施形態によれば、画面をタッチする際に生じる指のずれが、突起物の働きで目視せずともわかり、感覚でずれを補正できるため、操作ミスをしにくい。
したがって、メールやゲームなどの連続操作もしやすい。
他の実施形態は、図１の実施形態では、円型のフィルムの中心に突起物を設けたものであったが、他の実施形態では、ハート型や星型やキャラクターを模したものを設けたものでも良い。
【符号の説明】
【０００９】１  ポッチフィルム本体
２  突起物
【図１】
2013093005.tif 000003
【図２】
2013093005.tif 000004
【図３】
2013093005.tif 000005
【図４】
2013093005.tif 000006
(57)【要約】      （修正有）【課題】危険回避や、あらゆる場所での電源確保をできる１００Ｖ用延長コードを提供する。【解決手段】１００Ｖ用延長コードの導体、断面形状を円形から、板状に変更し厚みを極力薄くした分、幅を増やす事で導電率を保ち、被覆体を薄いシートを貼り合わせ筒状にし、銅箔を挿入し、前記１００Ｖ用延長コードの一部を薄くする。電源プラグのオス１個設け、少なくとも１個の電源プラグのメスを設ける。前記１００Ｖ用延長コードの中央部分に等ピッチで穴を開け、壁や柱に画鋲、ビス等で簡単に固定することができる。【選択図】図２
2013093298.tif 000002
【特許請求の範囲】
【請求項１】
コードの一部を薄くした事を特徴とする１００Ｖ用延長コード。
【請求項２】
電源プラグのオス１個設け、少なくとも１個電源プラグのメスを設けた事を特徴とすとする請求項１に記載の１００Ｖ用延長コード。
【請求項３】
本発明品の中央部分に等ピッチで穴を開け、壁や柱に画鋲、ビス等で簡単に固定することのできる請求項１または請求項２に記載の１００Ｖ用延長コード。
【発明の詳細な説明】
【技術分野】
【０００１】本発明は、一般家庭用延長コードに関する
【背景技術】
【０００２】従来の家庭用電源延長コードでは、導体が線や撚り線で断面形状が円形の為に、厚みが厚く約６ｍｍ以上あるのが普通である、しかし、ケーブル等配線材料としては、フラットの物がある。
【先行技術文献】
【０００３】
【特許文献１】特開２００４−１４６２０６
【発明の概要】
【発明が解決しようとする課題】
【０００５】配線材料としてのフラット状のものが有りますが（特許文献１参照）、１００Ｖ用延長コードとしての物が無く、従来１００Ｖ用の延長コード導体では断面形状が円形のコードを使用しており、厚みが厚い為（図１参照）、つまずいて危険であり従来の延長コードを敷物の下に敷くと、敷物がコードの有る部分が、盛り上がり段差が生じ大変危険で見栄えも悪いです、ドアなどの扉が有る場所では、電気コードを使用するとドアや扉を閉める事が出来ない為家電製品を使用が限定され、空調の無駄になり騒音の問題になる。
【課題を解決するための手段】
【０００６】コードの導体を撚り線や線、断面形状が円形から薄い板状に変更して厚みを極力薄くした分、幅を増やす事で導電率を保ち、被覆体を薄いシートを張り合わせ筒状し、銅箔を挿入し薄い電気コードにした。
【発明の効果】
【０００７】本発明は、電気コードの一部を薄くした為、お年寄りのつまずき防止や、ドアの下隙間より本発明品の薄い部分を通す事によりドアを閉めた状態で電源を確保できる為、家電製品を様々な場所で使用でき、省エネ対策にもなり防音にもなります。電気コードの存在を隠す役割も有り、ディスプレーや装飾関連にも幅広く活用できます。
【図面の簡単な説明】
【０００８】
【図１】従来電気コードの断面図
【図２】本発明品の導体  被覆体の斜視図
【図３】本発明品の実施例１延長コード一部分解した斜視図
【図４】本発明品の実施例２平面図
【図５】本発明品の実施例３平面図
【図６】本発明品の実施例４平面図
【発明を実施するための形態】
【実施例１】
【０００９】図２  図３  図４図５  図６を用いて本発明の１００Ｖ用延長コードについて説明する。
絶縁シートｂ厚み０．１ｍｍ〜０．４ｍｍを２枚貼り合わせ筒状にし、銅箔ｅ厚み０．０５ｍｍ〜０．１ｍｍ幅５ｍｍ〜５０ｍｍを絶縁体の筒に各１本挿入し、両端をプラスチック製固定部品ｆにより、電源プラグオスｇ、メスｈを銅箔とネジ止めで固定し１００Ｖ用延長コードにした。
【実施例２】
【００１０】絶縁シートｂ厚み０．１ｍｍ〜０．４ｍｍを２枚貼り合わせ筒状にし、銅箔ｅ厚み０．０５ｍｍ〜０．１ｍｍ幅１０ｍｍ〜５０ｍｍを絶縁体の筒に各１本挿入し、両端をプラスチック製固定部品ｆにより固定し片端に電源プラグのオスｇを１個取り付け、もう片端に複数個の電源プラグのメスｈを取り付けた。
【実施例３】
【００１１】実施例１で説明した発明品の、中間部に電源プラグのメスｈを複数個取り付けた。
【実施例４】
【００１２】実施例１で説明した発明品の、絶縁シートｂ縦方向中央部に等ピッチの穴を複数個開けた。
【産業上の利用可能性】
【００１３】この発明では、電気工事用の配線に利用すれば、今まで困難な工事も簡素化でき、家電製品には必ず電源コードが有り、このフラットコードを家電製品の電源コードに利用すれば家電製品の可能性も広がり、介護、医療、ディスプレー、店舗装飾の分野にも利用できる。
【符号の説明】ａ…導体  ｂ…被覆体  ｃ…絶縁シート  ｅ…銅箔
ｆ…樹脂固定部品  ｇ…電源プラグのオス  ｈ…電源プラグのメス  ｉ…従来電気コード
ｊ…取り付けビス  ｋ…取り付け穴
【図１】
2013093298.tif 000003
【図２】
2013093298.tif 000004
【図３】
2013093298.tif 000005
【図４】
2013093298.tif 000006
【図５】
2013093298.tif 000007
【図６】
2013093298.tif 000008
(57)【要約】      （修正有）【課題】モジュラージャックのラッチアームはものに引っかかりやすいため、大型化することなくラッチアームの破損を確実に防止するモジュラージャックを提供する。【解決手段】ラッチアーム２の破損防止処理をするため、ラッチアーム端部をモジュラージャック本体側に曲げ、さらに、屈曲したラッチアーム先端に対向する本体の一部を切り欠いて開口部７を形成し、この開口部にラッチアームの先端部が入り込むようにラッチアーム角度を変更する。【選択図】図２
2013093296.tif 000002
【特許請求の範囲】
【請求項１】
電子機器に接続されるモジュラージャックであって、このモジュラージャックに設けられたラッチアームの操作により上記電子機器に対して抜き差しされるモジュラージャックにおいて、上記ラッチアームは、その先端部がモジュラージャック本体側へ向くよう屈曲されており、この屈曲されたラッチアームの先端部と対向する上記モジュラージャック本体上面に、上記ラッチアーム先端部が進入後退可能な開口部を有していることを特徴とするモジュラージャック。
【請求項２】
上記モジュラージャックが上記電子機器に対して非嵌合の状態で上記ラッチアーム先端部の一部が上記開口部の一部に進入し、上記ラッチアームと上記間に隙間がないことを特徴とする請求項１項記載のモジュラージャック。
【発明の詳細な説明】
【技術分野】
【０００１】  本発明は、モバイル型の電子機器等に用いられ、電気信号を搬送するケーブルの端部に接続されるモジュラージャックに関する。
【背景技術】
【０００２】  電話機本体と受話器の接続に使われているモジュラージャックＲＪ１１は、おねしょモニターなどモジュラージャックでの抜き差しが頻繁に行われるモバイル機器等の電子機器に使用される場合、モジュラージャックに一体に取り付けられたラッチアームの衣服への引っ掛かりによる使用者の取扱の不自由さ、不快感およびそれに伴うラッチアームの破損が問題となっている。【０００３】  従来のモジュラージャックのラッチアーム破損防止構造としてはラッチアームを被覆するためのカバー（特許文献１）、ラッチアームを曲げたモジュラージャック（特許文献２）などがあるが、破損防止構造の無いものに比べいずれも大型化、とくにケーブル軸方向に長くなっており、電子機器からモジュラージャックが長く突き出すことになり、おねしょモニターなど身体に取り付けるモバイル機器に使用する際、ケーブルまたはモジュラージャックにかかる負荷が大きく、また邪魔になるなどの問題がある。【０００４】  大型化しない破損防止構造として、ラッチアームとモジュラージャック本体の間にスポンジを接着するなどの対策が採られたが、スポンジが脱落することが多く、効果は低かった。
【先行技術文献】
【特許文献】
【０００５】
【特許文献１】特願２００１−３８２９３６（特開２００３−１８７８９８）
【特許文献２】実願２００８−４４６８（登録３１４４７８８）
【発明の概要】
【発明が解決しようとする課題】
【０００６】  モジュラージャックのラッチアームは、電子機器本体から引き抜いた状態では不必要に引っ掛かったり破損したりする問題があった。また、おねしょモニターなど身体に取り付けて使用するモバイル機器に使用する場合、従来の破損防止構造のものでは大型化するため、取り扱いに不自由さ、不快感が伴った。そのためモジュラージャック本体を大型化することなくラッチアームの破損を確実に防止することが課題であった。
【課題を解決するための手段】
【０００７】  ラッチアームの破損はラッチアームとモジュラージャック本体の間に衣服などが侵入、不必要に引っ掛かりラッチアームを根元から破損する。このためラッチアームの一部をモジュラージャック本体側に曲げ、さらにモジュラージャック本体上面とラッチアーム屈曲部先端面との隙間を無くす。【０００８】  またラッチ解除の際、ラッチアーム端部とモジュラージャック本体の対向部が干渉し、解除できないのを防ぐため、ラッチアーム端部をモジュラージャック本体に押し込めるよう開口部を設ける。
【発明の効果】
【０００９】  ラッチアームの先端部をモジュラージャック本体側に屈曲させたので、使用者の衣服が不必要に引っ掛かったり、それによりラッチアームが破損したりすることを防止できる。モジュラージャック本体が大型化することがないため、おねしょモニターなど身体に取り付けて使用するモバイル機器に使用する場合でも、使用者に取り扱いに不自由さ、不快感は伴わなず、ケーブルに掛かる負荷も小さい。また一般に市販されている標準規格品に適用することも可能であり、その場合には部材の追加がなく、追加工のみであり安価に作ることも可能である。
【図面の簡単な説明】
【００１０】
【図１】モジュラージャック斜視図
【図２】モジュラージャック側面図
【図３】モジュラージャック背面図
【発明を実施するための形態】
【００１１】  本発明の好適な実施形態を図１に示す。モジュラージャック本体１と一体で取り付けられたラッチアーム２の屈曲部３がモジュラージャック本体１のケーブル側側面４よりケーブル８側に０．８ｍｍ突き出す位置でモジュラージャック本体上面５側に屈曲しており、ラッチアーム先端端面６がモジュラージャック本体上面５より本体内部側に進入できるよう開口部７をモジュラージャック本体５に設ける。さらに、ラッチアーム先端端面６はモジュラージャック本体上面５との間に隙間がなく、さらにモジュラージャック本体上面５よりケーブル８側に０．８ｍｍまで侵入してもよい位置に配置されている。
【００１２】  衣服などの侵入によりラッチアームを破損するのはモジュラージャックと接続機器が非嵌合の時である。このため非嵌合の位置でラッチアーム先端端面６とモジュラージャック本体上面５の間に隙間がないことが重要となる。しかしながら、ラッチアーム先端面６がモジュラージャック本体上面５より０．８ｍｍ以上侵入すると本体側のラッチ噛みあわせ部引っかかりが小さくなりラッチ機能が不安定となり、さらに侵入し過ぎるとラッチが機能しなくなる。
【００１３】  モジュラージャックを本体電子機器から引き抜く際、ラッチアームを指先などで本体側へ押し下げる必要がある。このためラッチーム２の屈曲部３に指がかかるよう、屈曲部３がモジュラージャック本体１のケーブル側側面４よりケーブル８側に０．８ｍｍ突き出すよう、屈曲部３を形成する。また０．８ｍｍを超えて突き出すと衣服の引っかかりのリスクが増加し、０．８ｍｍ以下では指をかける部分が短く、ラッチ解除を行いにくくなる。
【００１４】  これにより本発明のモジュラージャックの着脱は一般的なモジュラージャックの着脱操作と変わらない手順で着脱が可能となるとともに衣服などに引っかかってジャックが破損するという不都合も解決できる。
【００１５】本件発明は一般に市販されている標準規格品のモジュラージャックに対しても追加工で達成可能である。
【符号の説明】
【００１６】１  モジュラージャック本体
２  ラッチアーム
３  屈曲部
４  ケーブル側側面
５  モジュラージャック本体上面
６  ラッチアーム先端面
７  開口部
８  ケーブル
【図１】
2013093296.tif 000003
【図２】
2013093296.tif 000004
【図３】
2013093296.tif 000005
(57)【要約】      （修正有）【課題】災害発生時に、災害地地域の端末利用者の所在地及び状況を災害地以外の第三者が把握することが可能なシステムを提供する。【解決手段】情報通信ネットワーク内に該当する地域にある端末の位置情報（基地局情報から地域に存在する端末の識別番号（以下ＩＤと記す）データベース３、及びその端末位置情報の通知先ＩＤ（電話番号、電子メールアドレス等）データベース４を配備し、災害発生時に、災害規模等の一定の基準値により、指定した地域内に存在する端末ＩＤとその端末に該当する第三者への通知先を検索し、端末の位置情報、着信応答情報、安否情報を第三者表示装置９に送信する。【選択図】図１
2013251881.tif 000002
【特許請求の範囲】
【請求項１】
グローバル測位システム（ＧＰＳ：以下“ＧＰＳ”と記す）や無線基地局位置情報、交換装置、アクセスゲートウエイサーバ等により物理的位置情報の検出が可能とする携帯電話端末、カーナビゲーション端末等の移動体端末及び固定電話端末等（以下“端末”と記す）において、災害等の緊急時に災害発生又は発生の予知される特定地域の端末の位置情報を、予め登録してある本人及び第三者の通知先に自動的に通知するサービス方式及びシステム
【請求項２】
災害発生又は発生が予測される地域の端末に対する災害情報地域限定型同報通信サービスにおいて、災害情報通知時に、端末からの着信応答信号の有無を予め登録してある本人及び第三者の通知先に自動的に通知するサービス方式及びシステム
【請求項３】
災害発生又は発生が予測される地域の端末に対する災害情報地域限定型同報通信サービスにおいて、災害情報通知時に、音声、文書、タッチパネル形式等による安否確認問合せメッセージを端末に送信し、端末からの回答を予め登録してある通知先に自動的に通知するサービス方式及びシステム
【発明の詳細な説明】
【技術分野】
【０００１】この発明は携帯電話端末等の移動体端末及び固定端末の位置情報を利用した災害時位置情報及び安否確認情報通知サービスシステムに関する。
【先行技術文献】
【特許文献】
【０００２】
【特許文献１】特開平７−５８６８９
【特許文献２】特開２００１−１４４６７９
【非特許文献】
【非特許文献１】「緊急情報の同報配信サービスの開発」（ＮＴＴＤｏＣｏＭｏ  テクニカルジャーナル、Ｖｏｌ．１５  Ｎｏ．４）
【発明の概要】
【０００３】
【従来の技術及び発明が解決しようとする課題】
【０００４】  従来の位置情報サービスとして、サービスに登録してある端末の位置を予め登録してある本人又は第三者に通知する端末位置追跡サービスや各種アプリケ―ション・ソフトウエアが存在する。また、災害情報の地域限定型一斉同報通信サービスが存在する。これは情報通信システム側からの端末に向けての一方向の情報提供サービスである。更に、災害時等の携帯電話端末や固定電話端末による安否確認サービス及びシステムは個別企業等においてサービスは存在する。しかし、限定された地域の不特定の端末に対する同種のサービスは存在していない。
請求項１は、ＧＰＳ等の位置情報検索機能を付与した端末において、重大災害対象地域の端末の位置情報を、予め登録されている家族等の第三者に自動的に通知するサービスである。それにより第三者が端末利用者の位置確認を可能とする。また、第三者を警察消防等の行政機関に登録した場合には、災害等の地域にいる端末利用者の特定が可能となる。
請求項２は、災害発生又は発生が予測される地域の端末に対する災害情報地域限定型同報通信サービスにおいて、災害情報通知時に、端末からの着信応答信号の有無を予め登録してある第三者の通知先の表示装置（携帯端末等）に自動通知するサービスである。これにより、端末利用者の着信応答の有無により、少なくとも端末利用者の生存を推測可能である。第三者を警察消防等の行政機関に登録した場合には、着信応答のない端末の利用者の確認と請求項１のサービス機能を用いて、罹災者の位置を確認することが可能となる。
請求項３は、災害発生又は発生が予測される地域の端末に対する災害情報地域限定型同報通信サービスにおいて、災害情報通知時に、音声又は文書、タッチパネル形式等による安否確認問合せメッセージを端末に送信し、端末からの回答を予め登録してある第三者通知先に自動通知するサービスである。これにより詳細な端末利用者の罹災状況把握を可能とする。
【課題を解決するための手段】
【０００５】  上記の目的を達成するために請求項１の発明では、情報通信ネットワーク内に、該当する地域にある端末の位置情報（基地局情報から地域に存在する端末の識別番号（以下ＩＤと記す）データベース（以下ＤＢ１と記す）、及びその端末位置情報の通知先ＩＤ（電話番号、電子メールアドレス等）ＤＢ２を配備する。災害規模等の一定の基準値により、指定した地域内に存在する端末ＩＤをＤＢ１で検索し、その端末に該当する第三者への通知先をＤＢ２で検索し、端末の位置情報を通知先の第三者表示装置に送信する。ＤＢ１とＤＢ２は統合も可能である。
請求項２の発明では、情報通信ネットワーク内に、災害情報送出時呼出機能と共に、制御装置（交換機や処理サーバ等）により着信応答信号検出機能により、着信応答の有無をＤＢ２に登録された通知先に通知する。
請求項３の発明では、災害情報送出時に安否質問情報を送出し、端末利用者の詳細な状況を第三者表示装置に通知する。
【発明の効果】
【０００６】  災害地地域の端末利用者の所在地及び状況を災害地以外の家族等の第三者が把握することが可能である。また第三者を警察消防等の行政打機関に指定すれば、災害地域の端末利用者の本人確認及び生存状況の把握が容易となり、行方不明者の迅速な捜索が可能となる。
【図面の簡単な説明】
【０００７】
【図１】システム構成と情報フロー図
【符号の説明】
【０００８】１  通信ネットワーク
２  処理サーバ又は交換装置等
３  エリア内端末ＩＤ  ＤＢ１
４  通知先ＩＤ  ＤＢ２
５  無線基地局
６  移動体端末
７  固定端末
８  災害情報発出装置
９  第三者表示装置
１０−１〜３  災害情報・安否質問情報
１１  エリアＩＤ
１２−１〜２  端末ＩＤ
１３  通知先ＩＤ
１４−１〜３  着信応答情報
１５−１〜３  安否回答情報
１６  端末位置情報
【実施例】
【０００９】  例えば地震災害の基準値を震度６以上と設定し、基準値に達した場合に対象災害エリアにいる携帯電話等の利用者の位置情報を予め登録してある家族や所属部署などの通知先に自動的に端末の位置情報を音声、テキスト、地図等の図面上に通知する。
災害情報を端末に送信時に端末利用者から着信応答があった場合は、少なくとも端末利用者の生存の推測が可能となる。
更に、災害情報と共に、安否質問情報を音声、テキスト、タッチパネル入力方式等で送出し、端末利用者から回答があった場合には、詳細な状況把握が可能となる。
第三者を警察消防等の行政機関を指定すると、災害地の被害状況の把握と罹災者の迅速な救出活動が可能となる。
【産業上の利用可能性】
【００１０】  現在実施されている災害情報の地域限定型同報通信サービスにこのサービスを組み込むことに、より正確な罹災者の把握が可能となり、災害対策や防災対策に大きく貢献することが可能である。
【図１】
2013251881.tif 000003
(57)【要約】【課題】リニアソレノイドはコイルの励磁により可動子が固定子へ吸引されることにより動作するが、可動子と固定子間のストロークが短くなるにつれ、吸引力が急激に上昇し、一定の推力で動作させることは難しい。【解決手段】可動子の推力方向の厚みを、固定子端部から継鉄端部の距離以下にすることで、可動子は特定範囲のストロークで、固定子に対する吸引力と継鉄に対する吸引力がバランスし、一定の推力を得ることができる。【選択図】図１
2013251469.tif 000002
【特許請求の範囲】
【請求項１】
コイルと、該コイルの外周部および両端面を包囲するように設けられた継鉄と、前記コイルの内側に設けられ端部の一方を前記継鉄と接している筒状の固定子と、該固定子の中央に貫挿された軸、および前記固定子に対向し前記軸の先端部に配設された可動子を有するリニアソレノイドにおいて、前記可動子の推進方向における厚み（８）を前記継鉄と前記固定子の距離（９）よりも小さくしたことを特徴とするリニアソレノイド。
【請求項２】
上記可動子の上記軸が取り付けられた面と反対側の面の外周に円筒状の磁性体を設けたことを特徴とする請求項１記載のリニアソレノイド。
【発明の詳細な説明】
【技術分野】
【０００１】
本発明はリニアソレノイドに関するものである。
【背景技術】
【０００２】
リニアソレノイドは、固定子と可動子の吸引力により得られる推進力により、可動子に取り付けた軸を用いてスイッチ等の機構を動かすことができる。
【０００３】
しかし、吸引力は固定子と可動子のストロークが短くなるにつれ、急激に上昇する特性があるため、機構の動作が急になるという問題がある。
【０００４】
この改善策として、可動子と固定子の吸引する面に凹凸を設け、磁束の分布を放射状にさせることにより、可動子と固定子のストロークが長い初動の吸引力を向上させ、逆にストロークが短いときの吸引力を抑えることができる。この作用により、可動子と固定子の吸引をほぼ一定に保つことができる。（特許文献２）
【０００５】
その他に固定子に溝を設け、固定子と可動子のストロークが短くなることにより生じる吸引力の急上昇を固定子鉄心の磁気飽和によって抑える方法などがある。（特許文献１）
【先行技術文献】
【特許文献】
【０００６】
【特許文献１】特開平８−３３０１３１号公報
【特許文献２】実公昭６３−０３９９３５号公報
【発明の概要】
【発明が解決しようとする課題】
【０００７】
解決しようとする問題点は、リニアソレノイドの固定子と可動子のストロークが短くなるにつれ、急激に吸引力が上昇する特性があり、吸引力を一定に保つことが困難であるという点である。
【０００８】
本発明はこのような問題点を解決するために発明されたもので、可動子に働く吸引力を一定に保つことを目的とする。
【課題を解決するための手段】
【０００９】
本発明は、コイルと、該コイルの外周部および両端面を包囲するように設けられた継鉄と、前記コイルの内側に設けられ端部の一方を前記継鉄と接している筒状の固定子と、該固定子の中央に貫挿された軸、および前記固定子に対向し前記軸の先端部に配設された可動子を有するリニアソレノイドにおいて、前記可動子の推進方向における厚み（８）を前記継鉄と前記固定子の距離（９）よりも小さくしたことを特徴とするリニアソレノイドである。
【００１０】
さらに、上記可動子の上記軸が取り付けられた面と反対側の面の外周に円筒状の磁性体を設けたことを特徴とするリニアソレノイドである。
【発明の効果】
【００１１】
本発明は固定子、可動子に複雑な形状および機構を必要とせず、可動子の推力方向の厚みを継鉄と固定子間以下にするだけで、特定範囲のストロークで一定の推力が得られる利点がある。
【図面の簡単な説明】
【００１２】
【図１】本発明のリニアソレノイドの断面図（実施例１）
【図２】推力一定の状態の磁束分布(実施例１)
【図３】ストロークと推力の特性を表した図（実施例１）
【図４】実施例１より推力を向上させた本発明のリニアソレノイドの断面図（実施例２）
【発明を実施するための形態】
【００１３】
この発明を実施するための形態について添付の図面に従って説明する。  
【実施例１】
【００１４】
図１は、推進方向に対する可動子の厚みを継鉄の端部と固定子の端部の大きさより小さくしたリニアソレノイドの断面図である。
【００１５】
図１において、３はコイルである。コイルの外周面と両端部を囲むように継鉄２が配設されている。コイルの内側には円筒状の固定子１が配設されており、固定子の一方の端部はコイルの途中まで挿入されており固定子の他方の端部は継鉄に固定されている。軸５は固定子の中央に貫挿されており、軸の先端には固定子の端面に対向するように可動子が配設されている。コイル３に通電されると、可動子４が固定子１に軸５に沿ってストローク移動する。
【００１６】
図１に示す可動子4において、可動子の推進方向の厚みは、固定子１の端部から継鉄２の端部の距離よりも小さくなっている。
【００１７】
図２はコイル３の励磁により、一定の推力が得られるストロークまで移動したときの磁束の様子である。図２の磁束６の状態で、可動子４には固定子１への吸引力と継鉄２への吸引力が働くため、このストロークの範囲で可動子の推力は一定となる。
【００１８】
固定子１と可動子４と継鉄２を流れる磁束により生じる吸引力は、可動子４と固定子１、可動子４と継鉄２で働くため、図３のように特定範囲のストロークで推力が一定となる。
【実施例２】
【００１９】
図４は、実施例１の可動子４と継鉄２の間の磁束が通り易くなるよう、可動子４の外周に磁性体７を設けたものである。
【００２０】
磁性体７により磁束が通り易くなり、可動子４の固定子１への吸引力が増大するが、可動子４の推力を一定にするには、継鉄２への吸引力が必要である。
【００２１】
そのためには磁性体７が磁気飽和する磁束で動作させる必要があり、そのときの磁気回路の状態は実施例１と等しい。
【００２２】
可動子と固定子のストロークが短くなると推力が急激に上昇するが、可動子の厚みを固定子から継鉄の距離以下にすることで一定の推力を得ることができる。
切換器などのスイッチとして、利用すること等が可能である。
【符号の説明】
【００２３】
１    固定子
２    継鉄
３    コイル
４    可動子
５    軸
６    磁束線
７    磁性体
８    可動子の厚み
９    継鉄と固定子間の距離
【図１】
2013251469.tif 000003
【図２】
2013251469.tif 000004
【図３】
2013251469.tif 000005
【図４】
2013251469.tif 000006